(57)【特許請求の範囲】
【請求項１】
所定の機能を実行する情報機器、及び当該情報機器と通信する装着型情報機器からなる情報処理システムにおいて、
前記装着型情報機器は、
前記情報機器の特定に使用される機器特定情報を記憶している記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果を、前記情報機器へ通知する通知手段と、を備え、
前記情報機器は、
前記装着型情報機器の前記通知手段から通知された当該情報機器の確認結果に基づいて、前記所定の機能を実行する機能実行手段、を備えた
ことを特徴とする情報処理システム。
【請求項２】
所定の機能を実行する情報機器、及び当該情報機器と通信する装着型情報機器からなる情報処理システムにおいて、
前記装着型情報機器は、
前記情報機器の特定に使用される機器特定情報を記憶している記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果に基づいて、前記情報機器の機能実行を制御する制御手段と、を備え、
前記情報機器は、
前記装着型情報機器の前記制御手段による制御に基づいて、前記所定の機能を実行する機能実行手段、を備えた
ことを特徴とする情報処理システム。
【請求項３】
所定の機能を実行する情報機器、及び当該情報機器と通信する装着型情報機器からなる情報処理システムにおいて、
前記装着型情報機器は、
使用者の視線方向の被写体を撮影する撮影手段と、
前記撮影手段により撮影された撮影画像を前記情報機器へ送信する画像送信手段と、を備え、
前記情報機器は、
前記所定の機能を実行する機能実行手段と、
当該情報機器の特定に使用される機器特定情報を記憶している記憶手段と、
前記記憶手段に記憶されている前記機器特定情報に基づく画像解析によって、前記装着型情報機器より送信された前記撮影画像における当該情報機器の有無を確認する確認手段と、
前記確認手段による当該情報機器の確認結果に基づいて、前記機能実行手段の機能実行を制御する制御手段と、を備えた
ことを特徴とする情報処理システム。
【請求項４】
所定の機能を実行する情報機器、及び当該情報機器と通信する装着型情報機器からなる情報処理システムにおける情報機器であって、
前記所定の機能を実行する機能実行手段と、
当該情報機器の特定に使用される機器特定情報を記憶している記憶手段と、
前記記憶手段に記憶されている前記機器特定情報に基づく画像解析によって、前記装着型情報機器より送信された、当該装着型情報機器の使用者の視線方向の被写体を撮影した撮影画像における当該情報機器の有無を確認する確認手段と、
前記確認手段による当該情報機器の確認結果に基づいて、前記機能実行手段の機能実行を制御する制御手段と、
を備えたことを特徴とする情報機器。
【請求項５】
前記情報機器は、非接触通信による保有データの読み出しが可能であって、当該情報機器の前記機能実行手段は、前記非接触通信による前記保有データの送信処理を実行することを特徴とした請求項４に記載の情報機器。
【請求項６】
前記情報機器は、所定の情報を表示する表示部を備え、当該情報機器の前記機能実行手段は、前記表示部の表示制御を実行することを特徴とした請求項４又は５に記載の情報機器。
【請求項７】
前記情報機器は、自身の操作を無効化するセキュリティロックが可能であって、当該情報機器の前記機能実行手段は、前記セキュリティロックの制御を実行することを特徴とした請求項４乃至６の何れか一項に記載の情報機器。
【請求項８】
所定の機能を実行する情報機器、及び当該情報機器と通信する装着型情報機器からなる情報処理システムにおける装着型情報機器であって、
前記情報機器の特定に使用される機器特定情報を記憶している記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果を、前記情報機器へ通知する通知手段と、
を備えたことを特徴とする装着型情報機器。
【請求項９】
所定の機能を実行する情報機器、及び当該情報機器と通信する装着型情報機器からなる情報処理システムにおける装着型情報機器であって、
前記情報機器の特定に使用される機器特定情報を記憶している記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果に基づいて、前記情報機器の機能実行を制御する制御手段と、
を備えたことを特徴とする装着型情報機器。
【請求項１０】
所定の機能を実行する情報機器、及び当該情報機器と通信する装着型情報機器からなる情報処理システムにおける前記情報機器の機能実行方法であって、
記憶されている当該情報機器の特定に使用される機器特定情報に基づく画像解析によって、前記装着型情報機器より送信された、当該装着型情報機器の使用者の視線方向の被写体を撮影した撮影画像における当該情報機器の有無を確認し、
当該情報機器の確認結果に基づいて、前記所定の機能を実行することを特徴とする。
【請求項１１】
所定の機能を実行する情報機器、及び当該情報機器と通信する装着型情報機器からなる情報処理システムにおける前記装着型情報機器の情報通知方法であって、
使用者の視線方向の被写体を撮影し、
記憶されている前記情報機器の特定に使用される機器特定情報に基づく画像解析によって、撮影された撮影画像における前記情報機器の有無を確認し、
前記情報機器の確認結果を、前記情報機器へ通知することを特徴とする。
【請求項１２】
所定の機能を実行する情報機器、及び当該情報機器と通信する装着型情報機器からなる情報処理システムにおける前記装着型情報機器の情報機器制御方法であって、
使用者の視線方向の被写体を撮影し、
記憶されている前記情報機器の特定に使用される機器特定情報に基づく画像解析によって、撮影された撮影画像における前記情報機器の有無を確認し、
前記情報機器の確認結果に基づいて、前記情報機器の機能実行を制御することを特徴とする。
【請求項１３】
所定の機能を実行する情報機器、及び当該情報機器と通信する装着型情報機器からなる情報処理システムにおける前記情報機器が有するコンピュータを実行するプログラムであって、
前記所定の機能を実行する機能実行手段、
当該情報機器の特定に使用される機器特定情報を記憶している記憶手段、
前記記憶手段に記憶されている前記機器特定情報に基づく画像解析によって、前記装着型情報機器より送信された、当該装着型情報機器の使用者の視線方向の被写体を撮影した撮影画像における当該情報機器の有無を確認する確認手段、
前記確認手段による当該情報機器の確認結果に基づいて、前記機能実行手段の機能実行を制御する制御手段、として機能させることを特徴とする。
【請求項１４】
所定の機能を実行する情報機器、及び当該情報機器と通信する装着型情報機器からなる情報処理システムにおける前記装着型情報機器が有するコンピュータを実行するプログラムであって、
前記情報機器の特定に使用される機器特定情報を記憶している記憶手段、
使用者の視線方向の被写体を撮影する撮影手段、
前記記憶手段に記憶されている前記機器特定情報に基づく画像解析によって、前記撮影手段により撮影された撮影画像における前記情報機器の有無を確認する確認手段、
前記確認手段による前記情報機器の確認結果を、前記情報機器へ通知する通知手段、として機能させることを特徴とする。
【請求項１５】
所定の機能を実行する情報機器、及び当該情報機器と通信する装着型情報機器からなる情報処理システムにおける前記装着型情報機器が有するコンピュータを実行するプログラムであって、
前記情報機器の特定に使用される機器特定情報を記憶している記憶手段、
使用者の視線方向の被写体を撮影する撮影手段、
前記記憶手段に記憶されている前記機器特定情報に基づく画像解析によって、前記撮影手段により撮影された撮影画像における前記情報機器の有無を確認する確認手段、
前記確認手段による前記情報機器の確認結果に基づいて、前記情報機器の機能実行を制御する制御手段、として機能させることを特徴とする。
【発明の詳細な説明】
【技術分野】
【０００１】
本発明は、例えば、腕時計型の情報機器や、スマートフォン等に用いて好適な情報機器の機器制御技術に関するものである。
【背景技術】
【０００２】
近年、スマートフォンやスマートフォンと連携して動作する腕時計型の情報機器（以下、リスト端末という。）が注目されている。これらの情報機器は、それ単体、又は、それらが連携することにより高度な情報処理を行なうことができる（例えば、特許文献１）。
【先行技術文献】
【特許文献】
【０００３】
【特許文献１】特開２００２−１５２３２７号公報
【発明の概要】
【発明が解決しようとする課題】
【０００４】
しかしながら、これらの情報機器は、これらが持つ機能が常時実行可能状態にあるため、様々な問題点を有している。
【０００５】
これを解決する方法としては、必要な機能を実行するときにだけ、ユーザが手動で当該機能をオン状態とすることが考えられるが、それでは情報機器の利便性が大幅に低下するという問題があった。
【０００６】
本発明は、かかる従来の課題に鑑みてなされたものであり、情報機器の利便性を低下させることのない、情報機器の機器制御技術を実現することを目的とする。
【課題を解決するための手段】
【０００７】
上記課題を解決するため、本発明の第１の観点に係る情報処理システムにおいては、所定の機能を実行する情報機器、及び当該情報機器と通信する装着型情報機器からなり、前記装着型情報機器は、前記情報機器の特定に使用される機器特定情報を記憶している記憶手段と、使用者の視線方向の被写体を撮影する撮影手段と、前記記憶手段に記憶されている前記機器特定情報に基づく画像解析によって、前記撮影手段により撮影された撮影画像における前記情報機器の有無を確認する確認手段と、前記確認手段による前記情報機器の確認結果を、前記情報機器へ通知する通知手段と、を備え、前記情報機器は、前記装着型情報機器の前記通知手段から通知された当該情報機器の確認結果に基づいて、前記所定の機能を実行する機能実行手段、を備えたことを特徴とする。
【０００８】
上記課題を解決するため、本発明の第２の観点に係る情報処理システムにおいては、所定の機能を実行する情報機器、及び当該情報機器と通信する装着型情報機器からなり、前記装着型情報機器は、前記情報機器の特定に使用される機器特定情報を記憶している記憶手段と、使用者の視線方向の被写体を撮影する撮影手段と、前記記憶手段に記憶されている前記機器特定情報に基づく画像解析によって、前記撮影手段により撮影された撮影画像における前記情報機器の有無を確認する確認手段と、前記確認手段による前記情報機器の確認結果に基づいて、前記情報機器の機能実行を制御する制御手段と、を備え、前記情報機器は、前記装着型情報機器の前記制御手段による制御に基づいて、前記所定の機能を実行する機能実行手段、を備えたことを特徴とする。
【０００９】
上記課題を解決するため、本発明の第３の観点に係る情報処理システムにおいては、所定の機能を実行する情報機器、及び当該情報機器と通信する装着型情報機器からなり、前記装着型情報機器は、使用者の視線方向の被写体を撮影する撮影手段と、前記撮影手段により撮影された撮影画像を前記情報機器へ送信する画像送信手段と、を備え、前記情報機器は、前記所定の機能を実行する機能実行手段と、当該情報機器の特定に使用される機器特定情報を記憶している記憶手段と、前記記憶手段に記憶されている前記機器特定情報に基づく画像解析によって、前記装着型情報機器より送信された前記撮影画像における当該情報機器の有無を確認する確認手段と、前記確認手段による当該情報機器の確認結果に基づいて、前記機能実行手段の機能実行を制御する制御手段と、を備えたことを特徴とする。
【発明の効果】
【００１０】
本発明によれば、情報機器の利便性を低下させることのない、情報機器の機器制御技術が実現可能となる。
【図面の簡単な説明】
【００１１】
【図１】本発明の情報処理システムをスキミング防止に利用したスキミング防止システムを示す構成図である。
【図２】リスト端末の構成を示すブロック図である。
【図３】ヘッドマウントディスプレイの構成を示すブロック図である。
【図４】第１の実施形態におけるリスト端末とヘッドマウントディスプレイとの動作を示すシーケンス図である。
【図５】電子決済の実施状態、ヘッドマウントディスプレイによる撮影画像の例を示す説明図である。
【図６】第２の実施形態リスト端末とヘッドマウントディスプレイとの動作を示すシーケンス図である。
【図７】スマートフォンの構成を示すブロック図である。
【図８】第３の実施形態スマートフォンとヘッドマウントディスプレイとの動作を示すシーケンス図である。
【発明を実施するための形態】
【００１２】
（第１の実施形態）
以下、本発明の実施形態について説明する。図１は、本発明の情報処理システムをスキミング防止に利用したスキミング防止システムを示す構成図である。
【００１３】
本実施形態のスキミング防止システムは、Ｂｌｕｅｔｏｏｔｈ（登録商標）による近距離通信によりデータ交換が可能なリスト端末１とヘッドマウントディスプレイ（ＨＭＤ：Head Mounted Display）２とから構成される。
【００１４】
リスト端末１は、ユーザが手首に装着可能な腕時計型の情報端末であり、時計ケース１０１と、時計ケース１０１上に配置されると共にタッチパネルとして機能する表示部１０２と、時計ケース１０１の両端部に装着されたリストバンド１０３とを有している。
【００１５】
リスト端末１は、電子財布機能を有しており、ＮＦＣによる非接触通信によって任意の決済端末が有するＮＦＣカードリーダー５１との間でデータ通信を行なうことにより電子決済が可能である。
【００１６】
上記決済端末は、コンビニエンスストアー等の店舗や商業施設に設置されているものや、交通機関の自動改札機に組み込まれているものである。
【００１７】
ヘッドマウントディスプレイ（以下、ＨＭＤという。）２は、ユーザが頭部に装着する装着型情報端末であって、ユーザの視界を遮ることなく視界内に虚像である映像を表示する透過型である。
【００１８】
ＨＭＤ２は、メガネ型の本体２００と、本体２００の片側、すなわちユーザの右眼の視界内に位置するように設けられ、上記映像をユーザの視界内に表示するための表示部２０１とから構成される。また、表示部２０１には、ユーザの視線方向の被写体を撮影するためのカメラ部２１１が設けられている。
【００１９】
図２は、上記リスト端末１の回路構成を示す概略ブロック図である。
【００２０】
時計部１１１は、現在時刻をカウントする時計回路から構成される。表示部１０２は、カラーＬＣＤ（Liquid Crystal Display）と、それを駆動する駆動回路等から構成される。表示制御部１１２は、表示部１０２の表示状態を制御する。入力部１１３は、図１では省略した各種スイッチから構成される。また、入力部１１３には、表示部１０２のカラーＬＣＤの表面を覆い、表示部１０２をタッチパネルとして機能させるタッチセンサ、及びその駆動回路も含まれる。
【００２１】
ＣＰＵ（Central Processing Unit）１１４は、リスト端末１の各部を制御する。プログラムメモリ１１５は、制御プログラム１１５１、アプリケーションプログラム１１５２、及びペアリングプログラム１１５３が予め記憶されているメモリである。
【００２２】
制御プログラム１１５１は、ＣＰＵ１１４にリスト端末１全体を制御させるための基本的な制御プログラムである。
【００２３】
アプリケーションプログラム１１５２は、ＣＰＵ１１４に、後述する処理を含む種々の処理を行わせるための複数種のアプリケーションプログラムから構成される。また、アプリケーションプログラム１１５２には、ＨＭＤ２において、リスト端末１を撮影した撮影画像から公知の画像認識技術を用いてリスト端末１を認識する際に使用される端末特定情報、例えばリスト端末１の色や形状等の特徴を示す特徴データが含まれている。
【００２４】
ペアリングプログラム１１５３は、ＨＭＤ２等との間でＢｌｕｅｔｏｏｔｈ（登録商標）におけるペアリング（接続設定）を行うためのプログラムである。
【００２５】
内蔵メモリ１１６はフラッシュメモリ等であり、リスト端末１の動作内容を決める各種の設定情報や、電子決済で使用されるリスト端末１に固有のＩＤ番号や残高データ等のデータを含む各種データを記憶する。
【００２６】
無線Ｉ／Ｆ部１１７は、ＨＭＤ２等との間で、Ｂｌｕｅｔｏｏｔｈ（登録商標）によるデータ通信を行う。ＮＦＣ  Ｉ／Ｆ部１１８は、ループアンテナ、及び送受信回路を含み、上記ＮＦＣカードリーダー５１との間でＮＦＣによる非接触通信を行って電子決済に必要なデータ通信を行なう。
【００２７】
図３は、ＨＭＤ２の回路構成を示す概略ブロック図である。
【００２８】
表示部２０１は、ＬＥＤ等の光源、画像データに基づく画像を表示する透過型の液晶表示素子、及びその駆動回路から構成される。図示しないが表示部２０１には、上記液晶表示素子に表示された画像の大きさを調整する投射レンズ、内部にハーフミラー層が形成された導光板からなる光学系が収容されている。そして、表示部２０１においては、光源が発する光が液晶表示素子により投影光に変換され、投射レンズを介して導光板内部のハーフミラー層に投影されることによって、ユーザの右眼の視界を遮ることなく視界内に虚像である映像が表示される。
【００２９】
カメラ部２１１は、ＣＭＯＳ（Complementary Meta１ ０xide Semiconductor）型やＣＣＤ（Charge Coupled Device）等の撮像素子と、撮像素子により得られた撮像信号に基づく撮影画像データを生成する信号処理回路等から構成される。
【００３０】
表示制御部２１２は、表示部２０１における映像の表示を制御する。入力部２１３は、図１では省略した各種スイッチから構成される。
【００３１】
ＣＰＵ２１４は、ＨＭＤ２の全体を制御する。プログラムメモリ２１５は、制御プログラム２１５１、アプリケーションプログラム２１５２、及びペアリングプログラム２１５３が予め記憶されているメモリである。
【００３２】
制御プログラム２１５１は、ＣＰＵ２１４にＨＭＤ２の全体を制御させるための基本的な制御プログラムである。アプリケーションプログラム２１５２は、ＣＰＵ２１４に、後述する処理を含む種々の処理を行わせるための複数種のアプリケーションプログラムから構成される。ペアリングプログラム２１５３は、リスト端末１等との間でＢｌｕｅｔｏｏｔｈ（登録商標）におけるペアリング（接続設定）を行うためのプログラムである。
【００３３】
内蔵メモリ２１６はフラッシュメモリ等であり、ＨＭＤ２の動作内容を決める各種の設定情報や、カメラ部２１１によって撮影された被写体の撮影画像データ、上記ペアリングによって予め登録されている１又は複数のリスト端末１、及び他の各種情報器機に関する登録情報が記憶されている。
【００３４】
登録情報のうちリスト端末１に関する登録情報には、登録済のリスト端末１が撮影された撮影画像に対する当該リスト端末１の認識に使用される前述した端末特定情報が含まれており、この端末特定情報が登録済みのリスト端末１の個体識別用のＩＤデータに対応して内蔵メモリ２１６に記憶されている。
【００３５】
無線Ｉ／Ｆ部２１８は、リスト端末１等との間で、Ｂｌｕｅｔｏｏｔｈ（登録商標）によるデータ通信を行う。
【００３６】
次に、以上の構成からなるリスト端末１とＨＭＤ２との本発明に係る動作を説明する。
【００３７】
図４は、ユーザが本実施形態のスキミング防止システムを使用する際におけるリスト端末１とＨＭＤ２との動作内容を示したシーケンス図である。より具体的には、リスト端末１においてＣＰＵ１１４がプログラムメモリ１１５に記憶されている前述した各プログラムを実行し、ＨＭＤ２においてＣＰＵ２１４がプログラムメモリ２１５に記憶されている前述した各プログラムを実行することにより行われる動作内容を示したものである。
【００３８】
本実施形態のスキミング防止システムの使用に際して、ユーザは、まずリスト端末１とＨＭＤ２の双方において所定の設定操作を行う（Ｓ１）。
【００３９】
すると、リスト端末１とＨＭＤ２との間において相互にＢｌｕｅｔｏｏｔｈ（登録商標）リンク処理（公知のペアリング処理）が行われ（Ｓ２、Ｓ３）、これにより双方間でのデータ通信が可能となる。
【００４０】
引き続き、ＨＭＤ２がリスト端末１に対して、端末の端末特定情報を要求する（Ｓ４）。この要求に対して、リスト端末１が端末特定情報をＨＭＤ２に対して送信する（Ｓ５）。ＨＭＤ２は受信した端末特定情報を、ペアリング処理で得られたリスト端末１のＩＤデータに対応して内蔵メモリ２１６に記憶する（Ｓ６）。これによりスキミング対策がとられた状態になる。
【００４１】
その後、係る状態においてユーザが、例えば図５（ａ）に示したようにＮＦＣカードリーダー５１にリスト端末１をタッチする（又はかざす）と（Ｓ７）、まず、ＮＦＣカードリーダー５１からリスト端末１に対してＮＦＣ通信要求が送られる（Ｓ８）。
【００４２】
ＮＦＣ通信要求を受信したリスト端末１は、「ＮＦＣ通信許可要求」をＨＭＤ２に送信する（Ｓ９）。すなわちＮＦＣ通信実行の許可をＨＭＤ２に問い合わせる。
【００４３】
これを受信したＨＭＤ２は、カメラ部２１１においてユーザの視線方向の被写体を撮影するとともに、事前にリスト端末１から取得して記憶している端末特定情報を用いた認識処理を行い、撮影画像において当該リスト端末１を認識する（Ｓ１０）。すなわちＨＭＤ２は、撮影画像内に「ＮＦＣ通信許可要求」の発信元のリスト端末１が被写体として写っているか否かを確認する。
【００４４】
なお、上記被写体の撮影は、スキミング防止システムの使用中に定常的に行われていてもよい。
【００４５】
ＨＭＤ２は、係る処理は予め決められている所定時間内において繰り返し行う。すなわち、処理開始当初、又はその後においてリスト端末１が認識できなくとも、所定時間内を限度として所定の時間間隔で撮影を繰り返し行い、各撮影画像に対し認識処理を逐次行う。
【００４６】
そして、ＨＭＤ２は、上記所定時間が経過する以前に、図５（ｂ）に示したような撮影画像Ｇが取得でき、撮影画像Ｇにおいて当該リスト端末１を認識した場合には、「ＮＦＣ通信 許可」をリスト端末１に送信する（Ｓ１１）。すなわちＮＦＣ通信をして良い旨の返答をする。
【００４７】
「ＮＦＣ通信 許可」を受信した場合、リスト端末１は、ＮＦＣカードリーダー５１からの要求に応じたＮＦＣ通信、すなわちリスト端末１に固有のＩＤ番号や残高データ等の送信を行う（Ｓ１２）。これにより各種の電子決済が実施される。
【００４８】
一方、ＨＭＤ２は、上記所定時間内に、撮影画像において「ＮＦＣ通信許可要求」の発信元のリスト端末１を認識できない場合には、「ＮＦＣ通信 拒絶」をリスト端末１に送信する（Ｓ１３）。すなわちＨＭＤ２は、スキミングが行われた可能性があるものと判断し、リスト端末１に対して、ＮＦＣ通信を行ってはいけない旨の返答をする。
【００４９】
上記「ＮＦＣ通信 拒絶」を受信した場合、リスト端末１は、ＮＦＣカードリーダー５１からの要求に対して何も応答を行わず、それ以降のＮＦＣカードリーダー５１とのＮＦＣ通信を中止する。その結果、ＮＦＣカードリーダー５１においては、所定時間以内にリスト端末１からの応答が得られず、ＮＦＣ通信のタイムアウトエラー処理を行い、ＮＦＣ通信を終了することとなる。
【００５０】
以上のように、本実施形態のスキミング防止システムにおいては、リスト端末１から「ＮＦＣ通信許可要求」を受信した時点、若しくは所定時間内に、ＨＭＤ２においてリスト端末１が撮影できなければ、リスト端末１における、それ以降のＮＦＣカードリーダー５１とのＮＦＣ通信が自動的に中止される。
【００５１】
ここで、通常、ユーザが自らの意志でＮＦＣカードリーダー５１にリスト端末１をタッチする場合は、ユーザの視線がリスト端末１に注がれており、その時点、若しくは所定時間内において、ＨＭＤ２においてリスト端末１が撮影される。
【００５２】
これに対し、ユーザが知らない間に、リスト端末１にＮＦＣカードリーダー５１側がタッチされたような場合、つまりリスト端末１に対してスキミングが試みられた場合には、ユーザの視線がリスト端末１に注がれていないため、所定時間内にＨＭＤ２においてリスト端末１が撮影されることがない。その結果、リスト端末１が、それ以降のＮＦＣカードリーダー５１とのＮＦＣ通信を中止することにより、スキミングが確実に防止される。
【００５３】
したがって、ユーザがリスト端末１の電子財布機能を使用するときには、単にリスト端末１に顔を向けるだけで電子決済を行うことができる。同時に、スキミングが確実に防止される。
【００５４】
よって、本実施形態のスキミング防止システムによれば、腕時計型の情報機器（リスト端末）に、利便性を低下させることなく高いセキュリティ性能を確保することができる。
【００５５】
ここで、本実施形態においては、ＨＭＤ２が撮影画像から登録済みのリスト端末１を認識する際に使用する端末特定情報をリスト端末１において事前に用意されたものとした。しかし、上記の端末特定情報は、例えばリスト端末１の登録時にリスト端末１を撮影し、その撮影画像を解析して随時取得したものとすることができる。
【００５６】
また、本実施形態においては、撮影画像から登録済みのリスト端末１それ自体を認識した。すなわち所謂オブジェクト認識を行うことにより撮影画像内におけるリスト端末１の有無を確認した。しかしながら、本発明は、リスト端末１の認識方法を本実施例の方法に限定するものではない。
【００５７】
例えば、リスト端末１にＬＥＤを搭載し、可視光通信を利用して撮影画像内におけるリスト端末１の有無を確認してもよい。また、リスト端末１の表示部１０２に、所定の識別用画像（二次元バーコードなど）を、ＮＦＣカードリーダー５１からＮＦＣ通信要求を受信した時点等において表示させ、その識別用画像を認識することにより撮影画像内におけるリスト端末１の有無を確認してもよい。なお、上記の識別用画像はリスト端末１に予め用意しておいてもよいし、ＨＭＤ２がリスト端末１の登録時に自動的に割り当て、リスト端末１に供給しておいたものでもよい。
【００５８】
また、本実施形態で説明した構成に加え、例えばリスト端末１におけるＮＦＣによる電子決済の進捗状況などを、常にＨＭＤ２がユーザの視界内に表示させる構成としてもよい。その場合、リスト端末１に対してスキミングが試みられたときには、直ちにそれをユーザに知らせることができ、より高いセキュリティ性能を確保することができる。
【００５９】
さらに、より一層より高いセキュリティ性能を確保するのであれば、以下のようにしてもよい。例えばＨＭＤ２が、撮影画像内でリスト端末１が確認できたことのみをＮＦＣ通信の許可条件とするのではなく、それと並行してＨＭＤ２（カメラ部２１１）の撮影画角内で事前に決められているユーザによる特定のジェスチャーが認識できることや、ＨＭＤ２において所定のスイッチ操作が行われたことをＮＦＣ通信の許可条件としてもよい。
【００６０】
また、本実施形態においては、スキミング防止システムを構成する装着型情報端末としてＨＭＤ２を示した。しかし、本発明における装着型情報端末は、リスト端末１から「ＮＦＣ通信許可要求」を受信したとき、ユーザの視線方向の被写体を撮影可能な構成であればよく、本発明の実施に際しては、ＨＭＤ２に代えて、それ以外の任意の装着型情報端末を適宜使用することができる。
【００６１】
また、本実施形態においては、スキミング防止システムを構成する情報機器としてリスト端末１を示した。しかし、本発明における情報機器は、非接触通信による保有データの読み出しが可能なものであればよく、本発明は、リスト端末１以外の任意の情報機器に対するスキミングの防止にも有効である。リスト端末１以外の情報機器には、例えば指輪型の装着型情報端末が含まれ、さらに装着型情報端末に限らず電子財布機能を有する携帯電話やスマートフォン等も含まれる。
【００６２】
また、本実施形態においては、リスト端末１は、「ＮＦＣ通信許可要求」をＨＭＤ２に送信し、ＨＭＤ２は、リスト端末１からの「ＮＦＣ通信許可要求」に応じて、所定時間が経過する以前に、撮影画像内に「ＮＦＣ通信許可要求」の発信元のリスト端末１が被写体として認識しているか否かを確認したが、ＨＭＤ２は、リスト端末１による「ＮＦＣ通信許可要求」に係らず、撮影画像内にリスト端末１が被写体として写っているか否かを、リスト端末１に通知し、リスト端末１は通知結果に応じて、ＮＦＣ通信を制御するようにしても良い。すなわち、ＨＭＤ２がリスト端末１を被写体として認識していると通知している場合は、リスト端末１は電子財布機能をオンし、ＨＭＤ２がリスト端末１を被写体として認識していないと通知している場合は、リスト端末１は電子財布機能をオフするように制御しても良い。
【００６３】
また、本実施形態においては、リスト端末１においスキミング防止対象となるデータが電子決済で使用されるデータである場合について説明した。しかし、スキミング防止対象となるデータは、上記データに限らず、任意の規格による非接触通信によって見出し対象となるものであれば、上記以外の任意のデータであってもよい。
【００６４】
非接触通信によって見出し対象となるデータには、例えばリスト端末１がユーザの身体の状態を示すバイタル情報を取得し蓄積する機能を有する場合のバイタル情報や、リスト端末１がユーザの行動履歴を示す行動履歴データ（ＧＰＳ情報等）を取得して蓄積する機能を有する場合の行動履歴データが含まれる。
【００６５】
（第２の実施形態）
第１の実施形態においては、本発明の情報処理システムを、スキミング防止に利用したが、第２の実施形態においては、腕時計型の情報機器（リスト端末）の表示制御システムとしての利用について説明する。
【００６６】
本実施形態の表示制御システムは、Ｂｌｕｅｔｏｏｔｈ（登録商標）による近距離通信によりデータ交換が可能なリスト端末１とヘッドマウントディスプレイＨＭＤ２とから構成される。
【００６７】
尚、第２の実施形態における、リスト端末１、及びＨＭＤ２の回路構成は、第１の実施形態と同様のため、説明は省略する。
【００６８】
リスト端末１は、一般的な腕時計とは異なり、リスト端末１自体で、例えば、地図表示等の高度な処理を実施し、その処理結果をリスト端末１が備える表示部１０２に表示するため、表示部１０２は高精細のカラーＬＣＤ等から構成されていることが多く、表示部１０２に大きな電力消費が生じてしまうという問題があった。
【００６９】
図６は、ユーザが本実施形態の表示制御システムを使用する際におけるリスト端末１とＨＭＤ２との動作内容を示したシーケンス図である。より具体的には、リスト端末１においてＣＰＵ１１４がプログラムメモリ１１５に記憶されている前述した各プログラムを実行し、ＨＭＤ２においてＣＰＵ２１４がプログラムメモリ２１５に記憶されている前述した各プログラムを実行することにより行われる動作内容を示したものである。
【００７０】
本実施形態の表示制御システムの使用に際して、ユーザは、まずリスト端末１とＨＭＤ２の双方において所定の設定操作を行う（Ｓ２１）。
【００７１】
すると、リスト端末１とＨＭＤ２との間において相互にＢｌｕｅｔｏｏｔｈ（登録商標）リンク処理（公知のペアリング処理）が行われ（Ｓ２２、Ｓ２３）、これにより双方間でのデータ通信が可能となる。
【００７２】
引き続き、ＨＭＤ２がリスト端末１に対して、端末の端末特定情報を要求する（Ｓ２４）。この要求に対して、リスト端末１が端末特定情報をＨＭＤ２に対して送信する（Ｓ２５）。ＨＭＤ２は受信した端末特定情報を、ペアリング処理で得られたリスト端末１のＩＤデータに対応して内蔵メモリ２１６に記憶する（Ｓ２６）。これにより表示制御対策がとられた状態になる。
【００７３】
表示制御対策がとられた後、所定時間が経過するとリスト端末１は、表示部１０２の表示をＯＦＦさせる（Ｓ２７）。
【００７４】
一方、ＨＭＤ２は、カメラ部２１１において、定期的にユーザの視線方向の被写体を撮影するとともに、事前にリスト端末１から取得して記憶している端末特定情報を用いた認識処理を行い、撮影画像において当該リスト端末１を認識する（Ｓ２８）。すなわちＨＭＤ２は、撮影画像内にリスト端末１が被写体として写っているか否かを定期的に確認する。
【００７５】
ＨＭＤ２は、係る処理を予め決められている所定時間内において繰り返し行う。すなわち、処理開始当初、又はその後においてリスト端末１が認識できなくとも、所定時間内を限度として所定の時間間隔で撮影を繰り返し行い、各撮影画像に対し認識処理を逐次行う。
【００７６】
その後、係る状態においてユーザが、リスト端末１をユーザの顔の前にかざすと、ＨＭＤ２は、上記所定時間が経過する以前に、リスト端末１の撮影画像が取得でき、この撮影画像において当該リスト端末１を認識した場合には、「表示部表示ＯＮ」をリスト端末１に送信する（Ｓ２９）。すなわち表示部１０２の表示をＯＮして良い旨の返答をする。
【００７７】
「表示部表示ＯＮ」を受信した場合、リスト端末１は、表示部１０２の表示をＯＮする（Ｓ３０）。これにより、ユーザはリスト端末１の表示部１０２に表示されている内容を確認することができる。
【００７８】
一方、ＨＭＤ２は、上記所定時間内に、撮影画像においてリスト端末１を認識できない場合には、「表示部表示ＯＦＦ」をリスト端末１に送信する（Ｓ３１）。すなわちＨＭＤ２は、ユーザがリスト端末１を見ていないと判断し、リスト端末１に対して、表示部１０２の表示をＯＦＦする旨の返答をする。
【００７９】
上記「表示部表示ＯＦＦ」を受信した場合、リスト端末１は表示部１０２の表示をＯＦＦさせる（Ｓ３２）。
【００８０】
以上のように、本実施形態の表示制御システムにおいては、ユーザがリスト端末１をユーザの顔の前にかざした時だけ、表示部１０２の表示がＯＮし、ユーザがリスト端末１を見ていない時は、リスト端末１の表示部１０２の表示がＯＦＦとなる。
【００８１】
よって、本実施形態の表示制御システムによれば、リスト端末１に、利便性を低下させることなく電力消費を大幅に削減することが可能となる。
【００８２】
（第３の実施形態）
第２の実施形態においては、本発明の情報処理システムを、腕時計型の情報機器（リスト端末）の表示制御に利用したが、第３の実施形態においては、スマートフォンのセキュリティロック制御システムとしての利用について説明する。
【００８３】
本実施形態のセキュリティロック制御システムは、Ｂｌｕｅｔｏｏｔｈ（登録商標）による近距離通信によりデータ交換が可能なスマートフォン３とヘッドマウントディスプレイＨＭＤ２とから構成される。
【００８４】
図７は、スマートフォン３の回路構成を示す概略ブロック図である。３０２は表示部であり、カラーＬＣＤと、それを駆動する駆動回路等から構成される。３１２は表示制御部であり、表示部３０２の表示状態を制御する。３１３は入力部であり、電源キーや、その他の各種キーから構成される。また、入力部３１３には、表示部３０２のカラーＬＣＤの表面を覆い、表示部３０２をタッチパネルとして機能させるタッチセンサ、及びその駆動回路も含まれる。
【００８５】
３１４はＣＰＵであり、スマートフォン３全体を制御する。３１５はプログラムメモリであり、制御プログラム３１５１、及びアプリケーションプログラム３１５２、ペアリングプログラム３１５３が予め記憶されている。
【００８６】
制御プログラム３１５１は、ＣＰＵ３１４にスマートフォン３全体を制御させるための基本的な制御プログラムである。アプリケーションプログラム３１５２は、ＣＰＵ３１４に後述する処理を含む種々の処理を行わせるための複数種のアプリケーションプログラムから構成される。ペアリングプログラム３１５３は、ＨＭＤ２との間でペアリング（接続設定）を行うためのプログラムである。
【００８７】
３１６は、フラッシュメモリ等の内蔵メモリであり、スマートフォン３の動作内容を決める各種の設定情報等を記憶する。
【００８８】
３１７はＨＭＤ２との間で、Ｂｌｕｅｔｏｏｔｈ（登録商標）による送受信を行う無線Ｉ／Ｆ部である。３１８は、無線ＬＡＮ等の公衆回線を利用してスマートフォン３をインターネットに接続するための通信Ｉ／Ｆ部である。
【００８９】
なお、スマートフォン３は、音声通信やデータ通信を行うための周知の回路、すなわち入力された音声を変調して送信する音声入力回路、送信回路、及び受信した音声信号を受信して復号再生する受信回路、再生回路やデータ送受信回路等を有するが、これらについては図示及び説明を省略する。
【００９０】
尚、第３の実施形態における、ＨＭＤ２の回路構成は、第１の実施形態と同様のため、説明は省略する。
【００９１】
スマートフォン３は、個人情報等の様々な重要データを当該スマートフォン内部に保持しており、スマートフォン３のユーザ以外の人物によって操作されないようにセキュリティロックが掛けられるのが一般的である。
【００９２】
セキュリティロックを解除するには、例えば、スマートフォン３のユーザが設定した数桁の数字の入力や、スマートフォン３のタッチパネル上を所定の軌跡でなぞることで解除するが、ユーザがスマートフォン３を使用する度に上記操作を行なわなければならず、セキュリティは確保されるが、利便性は低下するという問題があった。
【００９３】
図８は、ユーザが本実施形態のセキュリティロック制御システムを使用する際におけるスマートフォン３とＨＭＤ２との動作内容を示したシーケンス図である。より具体的には、スマートフォン３においてＣＰＵ３１４がプログラムメモリ３１５に記憶されている前述した各プログラムを実行し、ＨＭＤ２においてＣＰＵ２１４がプログラムメモリ２１５に記憶されている前述した各プログラムを実行することにより行われる動作内容を示したものである。
【００９４】
本実施形態のセキュリティロック制御の使用に際して、ユーザは、まずスマートフォン３とＨＭＤ２の双方において所定の設定操作を行う（Ｓ４１）。
【００９５】
すると、スマートフォン３とＨＭＤ２との間において相互にＢｌｕｅｔｏｏｔｈ（登録商標）リンク処理（公知のペアリング処理）が行われ（Ｓ４２、Ｓ４３）、これにより双方間でのデータ通信が可能となる。
【００９６】
引き続き、ＨＭＤ２がスマートフォン３に対して、端末の端末特定情報を要求する（Ｓ４４）。この要求に対して、スマートフォン３が端末特定情報をＨＭＤ２に対して送信する（Ｓ４５）。ＨＭＤ２は受信した端末特定情報を、ペアリング処理で得られたスマートフォン３のＩＤデータに対応して内蔵メモリ２１６に記憶する（Ｓ４６）。これによりセキュリティロック制御対策がとられた状態になる。
【００９７】
セキュリティロック制御対策がとられた後、所定時間が経過するとスマートフォン３は、自身の端末に対してセキュリティロックを掛ける（Ｓ４７）。
【００９８】
一方、ＨＭＤ２は、カメラ部２１１において、定期的にユーザの視線方向の被写体を撮影するとともに、事前にスマートフォン３から取得して記憶している端末特定情報を用いた認識処理を行い、撮影画像において当該スマートフォン３を認識する（Ｓ４８）。すなわちＨＭＤ２は、撮影画像内にスマートフォン３が被写体として写っているか否かを定期的に確認する。
【００９９】
ＨＭＤ２は、係る処理を予め決められている所定時間内において繰り返し行う。すなわち、処理開始当初、又はその後においてスマートフォン３が認識できなくとも、所定時間内を限度として所定の時間間隔で撮影を繰り返し行い、各撮影画像に対し認識処理を逐次行う。
【０１００】
その後、係る状態においてユーザが、スマートフォン３をユーザの顔の前にかざすと、ＨＭＤ２は、上記所定時間が経過する以前に、スマートフォン３の撮影画像が取得でき、この撮影画像において当該スマートフォン３を認識した場合には、「セキュリティロックＯＦＦ」をスマートフォン３に送信する（Ｓ４９）。すなわちスマートフォン３のセキュリティロックを解除して良い旨の返答をする。
【０１０１】
「セキュリティロックＯＦＦ」を受信した場合、スマートフォン３は、自身のセキュリティロックを解除する（Ｓ５０）。これにより、ユーザはスマートフォン３を直ぐに操作することができる。
【０１０２】
一方、ＨＭＤ２は、上記所定時間内に、撮影画像においてスマートフォン３を認識できない場合には、「セキュリティロックＯＮ」をスマートフォン３に送信する（Ｓ５１）。すなわちＨＭＤ２は、ユーザがスマートフォン３を見ていないと判断し、スマートフォン３に対して、セキュリティロックを掛ける旨の返答をする。
【０１０３】
上記「セキュリティロックＯＮ」を受信した場合、スマートフォン３は、自身の端末に対してセキュリティロックを掛ける（Ｓ５２）。
【０１０４】
以上のように、本実施形態のセキュリティロック制御システムにおいては、ユーザがスマートフォン３をユーザの顔の前にかざした時だけ、セキュリティロックが解除され、ユーザがスマートフォン３を見ていない時は、セキュリティロックが掛かる。
【０１０５】
よって、本実施形態のセキュリティロック制御システムによれば、スマートフォン３に、利便性を低下させることなくセキュリティを確保することが可能となる。
【０１０６】
尚、上記の第１〜第３の実施形態においては、腕時計型の情報機器（リスト端末）のスキミング防止、表示制御、及びスマートフォンのセキュリティロック制御を実施するようにしたが、情報機器の機器制御については、これらに限られるものではない。
【０１０７】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
［請求項１］
所定の機能を実行する情報機器、及び当該情報機器と通信する装着型情報機器からなる情報処理システムにおいて、
前記装着型情報機器は、
事前に登録された前記情報機器の特定に使用される機器特定情報を記憶する記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果を、前記情報機器へ通知する通知手段と、を備え、
前記情報機器は、
前記装着型情報機器の前記通知手段による当該情報機器の確認結果に基づいて、前記所定の機能を実行する機能実行手段、を備えた
ことを特徴とする情報処理システム。
［請求項２］
所定の機能を実行する情報機器、及び当該情報機器と通信する装着型情報機器からなる情報処理システムにおいて、
前記装着型情報機器は、
事前に登録された前記情報機器の特定に使用される機器特定情報を記憶する記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果に基づいて、前記情報機器の機能実行を制御する制御手段と、を備え、
前記情報機器は、
前記装着型情報機器の前記制御手段による制御に基づいて、前記所定の機能を実行する機能実行手段、を備えた
ことを特徴とする情報処理システム。
［請求項３］
所定の機能を実行する情報機器、及び当該情報機器と通信する装着型情報機器からなる情報処理システムにおいて、
前記装着型情報機器は、
使用者の視線方向の被写体を撮影する撮影手段と、
前記撮影手段により撮影された撮影画像を前記情報機器へ送信する画像送信手段と、を備え、
前記情報機器は、
前記所定の機能を実行する機能実行手段と、
事前に登録された当該情報機器の特定に使用される機器特定情報を記憶する記憶手段と、
前記記憶手段に記憶されている前記機器特定情報に基づく画像解析によって、前記装着型情報機器より送信された前記撮影画像における当該情報機器の有無を確認する確認手段と、
前記確認手段による当該情報機器の確認結果に基づいて、前記機能実行手段の機能実行を制御する制御手段と、を備えた
ことを特徴とする情報処理システム。
［請求項４］
前記情報機器は、非接触通信による保有データの読み出しが可能であって、当該情報機器の前記機能実行手段は、前記非接触通信による前記保有データの送信処理を実行することを特徴とした請求項１乃至３の何れか一項に記載の情報処理システム。
［請求項５］
前記情報機器は、所定の情報を表示する表示部を備え、当該情報機器の前記機能実行手段は、前記表示部の表示制御を実行することを特徴とした請求項１乃至３の何れか一項に記載の情報処理システム。
［請求項６］
当該情報機器は、自身の操作を無効化するセキュリティロックが可能であって、当該情報機器の前記機能実行手段は、前記セキュリティロックの制御を実行することを特徴とした請求項１乃至３の何れか一項に記載の情報処理システム。
［請求項７］
所定の機能を実行する情報機器、及び当該情報機器と通信する装着型情報機器からなる情報処理システムにおける情報機器であって、
前記所定の機能を実行する機能実行手段と、
事前に登録された当該情報機器の特定に使用される機器特定情報を記憶する記憶手段と、
前記記憶手段に記憶されている前記機器特定情報に基づく画像解析によって、前記装着型情報機器より送信された、当該装着型情報機器の使用者の視線方向の被写体を撮影した撮影画像における当該情報機器の有無を確認する確認手段と、
前記確認手段による当該情報機器の確認結果に基づいて、前記機能実行手段の機能実行を制御する制御手段と、
を備えたことを特徴とする情報機器。
［請求項８］
所定の機能を実行する情報機器、及び当該情報機器と通信する装着型情報機器からなる情報処理システムにおける装着型情報機器であって、
事前に登録された前記情報機器の特定に使用される機器特定情報を記憶する記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果を、前記情報機器へ通知する通知手段と、
を備えたことを特徴とする装着型情報機器。
［請求項９］
所定の機能を実行する情報機器、及び当該情報機器と通信する装着型情報機器からなる情報処理システムにおける装着型情報機器であって、
事前に登録された前記情報機器の特定に使用される機器特定情報を記憶する記憶手段と、
使用者の視線方向の被写体を撮影する撮影手段と、
前記記憶手段に記憶されている前記機器特定情報に基づく画像解析によって、前記撮影手段により撮影された撮影画像における前記情報機器の有無を確認する確認手段と、
前記確認手段による前記情報機器の確認結果に基づいて、前記情報機器の機能実行を制御する制御手段と、
を備えたことを特徴とする装着型情報機器。
［請求項１０］
所定の機能を実行する情報機器、及び当該情報機器と通信する装着型情報機器からなる情報処理システムにおける前記情報機器の機能実行方法であって、
事前に登録された当該情報機器の特定に使用される機器特定情報を記憶し、
記憶されている前記機器特定情報に基づく画像解析によって、前記装着型情報機器より送信された、当該装着型情報機器の使用者の視線方向の被写体を撮影した撮影画像における当該情報機器の有無を確認し、
当該情報機器の確認結果に基づいて、前記所定の機能を実行することを特徴とする。
［請求項１１］
所定の機能を実行する情報機器、及び当該情報機器と通信する装着型情報機器からなる情報処理システムにおける前記装着型情報機器の情報通知方法であって、
事前に登録された前記情報機器の特定に使用される機器特定情報を記憶し、
使用者の視線方向の被写体を撮影し、
記憶されている前記機器特定情報に基づく画像解析によって、撮影された撮影画像における前記情報機器の有無を確認し、
前記情報機器の確認結果を、前記情報機器へ通知することを特徴とする。
［請求項１２］
所定の機能を実行する情報機器、及び当該情報機器と通信する装着型情報機器からなる情報処理システムにおける前記装着型情報機器の情報機器制御方法であって、
事前に登録された前記情報機器の特定に使用される機器特定情報を記憶し、
使用者の視線方向の被写体を撮影し、
記憶されている前記機器特定情報に基づく画像解析によって、撮影された撮影画像における前記情報機器の有無を確認し、
前記情報機器の確認結果に基づいて、前記情報機器の機能実行を制御することを特徴とする。
［請求項１３］
所定の機能を実行する情報機器、及び当該情報機器と通信する装着型情報機器からなる情報処理システムにおける前記情報機器が有するコンピュータを実行するプログラムであって、
前記所定の機能を実行する機能実行手段、
事前に登録された当該情報機器の特定に使用される機器特定情報を記憶する記憶手段、
前記記憶手段に記憶されている前記機器特定情報に基づく画像解析によって、前記装着型情報機器より送信された、当該装着型情報機器の使用者の視線方向の被写体を撮影した撮影画像における当該情報機器の有無を確認する確認手段、
前記確認手段による当該情報機器の確認結果に基づいて、前記機能実行手段の機能実行を制御する制御手段、として機能させることを特徴とする。
［請求項１４］
所定の機能を実行する情報機器、及び当該情報機器と通信する装着型情報機器からなる情報処理システムにおける前記装着型情報機器が有するコンピュータを実行するプログラムであって、
事前に登録された前記情報機器の特定に使用される機器特定情報を記憶する記憶手段、
使用者の視線方向の被写体を撮影する撮影手段、
前記記憶手段に記憶されている前記機器特定情報に基づく画像解析によって、前記撮影手段により撮影された撮影画像における前記情報機器の有無を確認する確認手段、
前記確認手段による前記情報機器の確認結果を、前記情報機器へ通知する通知手段、として機能させることを特徴とする。
［請求項１５］
所定の機能を実行する情報機器、及び当該情報機器と通信する装着型情報機器からなる情報処理システムにおける前記装着型情報機器が有するコンピュータを実行するプログラムであって、
事前に登録された前記情報機器の特定に使用される機器特定情報を記憶する記憶手段、
使用者の視線方向の被写体を撮影する撮影手段、
前記記憶手段に記憶されている前記機器特定情報に基づく画像解析によって、前記撮影手段により撮影された撮影画像における前記情報機器の有無を確認する確認手段、
前記確認手段による前記情報機器の確認結果に基づいて、前記情報機器の機能実行を制御する制御手段、として機能させることを特徴とする。
【符号の説明】
【０１０８】
１    リスト端末
２    ヘッドマウントディスプレイ（ＨＭＤ）
３    スマートフォン
５１    ＮＦＣカードリーダー
１１３    入力部
１１４    ＣＰＵ
１１５    プログラムメモリ
１１７    無線Ｉ／Ｆ部
１１８    ＮＦＣ  Ｉ／Ｆ部
２０１    表示部
２１１    カメラ部
２１３    入力部
２１４    ＣＰＵ
２１５    プログラムメモリ
２１６    内蔵メモリ
２１７    無線Ｉ／Ｆ部
３１３    入力部
３１４    ＣＰＵ
３１５    プログラムメモリ
３１７    無線Ｉ／Ｆ部
１１５１    制御プログラム
１１５２    アプリケーションプログラム
１１５３    ペアリングプログラム
２１５１    制御プログラム
２１５２    アプリケーションプログラム
２１５３    ペアリングプログラム
３１５１    制御プログラム
３１５２    アプリケーションプログラム
３１５３    ペアリングプログラム
Ｇ    撮影画像
【図１】
0005928551.tif 000002
【図２】
0005928551.tif 000003
【図３】
0005928551.tif 000004
【図４】
0005928551.tif 000005
【図５】
0005928551.tif 000006
【図６】
0005928551.tif 000007
【図７】
0005928551.tif 000008
【図８】
0005928551.tif 000009